Podtech/llm-jp-corpus-v4-ja_patent huggingface dataset:
(57)【要約】      （修正有）【課題】今後発生するインフラ設備老朽化による使用料金アップ及び地球温暖化による水資源の枯渇など将来の水不足を解消する為に、水道水使用量を削減する為の部品を提供する。【解決手段】本発明の水道水使用量削減器具は、水道配管の吐出側にはめ込み使用するもので、最上部にエゼクター効果を発揮させる為の小口径のキリ穴を複数個設ける。また、内面に螺旋みぞを設けて水圧による乱流効果を発揮させ、キリ穴より吸引した空気と混合する。【選択図】なし【特許請求の範囲】
【請求項１】
水道水使用量削減の為に本考案器具「（公序良俗違反につき、不掲載）」は最上部にエゼクター効果を発揮させる為、小口径のキリ穴を複数個設ける
【請求項２】
本考案器具「（公序良俗違反につき、不掲載）」の内面に螺旋状の極小溝を設け  水圧による乱流効果を発揮させ  且つ請求項１で設けたキリ穴より吸引した空気と混合することで  洗浄効果を  一層高める
【請求項３】
耐摩耗、耐食を求める為使用する材質は全てステンレス鋼製とする
【発明の詳細な説明】
【発明の概要】
【０００１】本器具を水道配管の吐出側にはめ込み使用する
【０００２】（公序良俗違反につき、不掲載）使用の場合と  使用しない場合の  同一吐出圧力で比較した場合  約２０％以上の水道使用量を削減する事が可能である
【発明が解決しようとする課題】
【０００３】ライフライン老朽化による水道料金の高騰、水道水供給量の減少など今後益々増大すると考えられる  その解決の為には確実に必要である
【０００４】世界的な気象変動による水不足は避けて通れなくなると考える  シャワ水ーや  洗浄水の多くは  必要以上に無駄に使用されるケースが多いので  これらを世界的な規模で使用すれば  消費量削減が大いに可能である
【発明の効果】
【０００５】特に飲食業界に大きく貢献する  即ち水道水の過剰使用によるコストアップの防止や家庭で使用するシャワー水の大幅削減など世界的に大きく貢献出来る
【０００６】地球温暖化により発生する水資源不足の解消  事業所のコストダウンなど計り知れない効果が考えられる
【図面の簡単な説明】
【図１】水道水節水器具「（公序良俗違反につき、不掲載）」は器具の最上部にエゼ
クター機能を有する                                                          
複数個のキリ穴を設け  管内にある空気を吸引する事でエゼクター効果を発揮させる
又、器具内面に螺旋状の溝を設ける事で乱流を発生させ  吸引した空気と水道水を
混合させて洗浄効果を高めると同時に使用水量の削減を図る
【発明を実施する為の形態】
【０００７】水道水蛇口及びシャワー吐出口にセットする事で水道水使用量を削減する事を目的とする
【符号の説明】
【０００８】１．器具本体２．キリ穴複数個３．乱流発生用螺旋みぞ４．水道水吐出口
【図１】
2020114982.tif 000002
(57)【要約】【課題】高温の加熱什器で保存しても、しっとりソフトな食感を長時間持続できるドーナツの製造方法を提供すること。【解決手段】成形したドーナツ生地を湿り蒸気で加熱した後、バッターで被覆し、フライすることを特徴とするドーナツの製造方法である。【選択図】なし【特許請求の範囲】
【請求項１】
成形したドーナツ生地を湿り蒸気で加熱した後、バッターで被覆し、フライすることを特徴とするドーナツの製造方法。
【発明の詳細な説明】
【技術分野】
【０００１】
本発明は、ドーナツの製造方法に関する。
【背景技術】
【０００２】
コンビニエンスストア等では、常に温かい状態で製品を提供する為にドーナツ等を加熱什器に保管し販売しているが、７０℃程度の高温で保存するため時間が経つと乾燥して硬くパサパサとした食感になってしまうという問題があった。
長時間、揚げたての食感を維持する方法として、例えば、具材をベーカリー生地で包み込み別途調整したバッター液にてコーティングした後、フライすることを特徴とするフライドベーカリー製品の製造法が知られている（例えば特許文献１参照）。
また、ドーナツ生地を分割・成型に付する工程と、次いでホイロに付する工程と、次いで焼成または蒸しに付する工程と、次いでインジェクションに付する工程と、次いでバッター付けおよびパン粉付けに付する工程、および、フライに付する工程を含むことを特徴とするイーストドーナツの製造方法が知られている（例えば特許文献２参照）。
また、生地表面に上昇融点４０℃ 以上の油脂を付着させた後、焼成またはフライすることを特徴とするベーカリーの製造方法が知られている（例えば特許文献３参照）。
【先行技術文献】
【特許文献】
【０００３】
【特許文献１】特開平１０−２２５２５９号公報
【特許文献２】特開２００３−３２５０９８号公報
【特許文献３】特開２００５−６６５１号公報
【発明の概要】
【発明が解決しようとする課題】
【０００４】
本発明の目的は、高温の加熱什器で保存しても、しっとりソフトな食感を長時間持続できるドーナツの製造方法を提供することである。
【課題を解決するための手段】
【０００５】
本発明者らは前記の目的を達成するために鋭意研究を重ねた結果、成形したドーナツ生地を湿り蒸気で加熱した後、バッターで被覆し、フライすることで高温の加熱什器で保存しても、しっとりソフトな食感を長時間持続できるドーナツを得ることができることを見出し、本発明を完成するに至った。
従って、本発明は、成形したドーナツ生地を湿り蒸気で加熱した後、バッターで被覆し、フライすることを特徴とするドーナツの製造方法である。
【発明の効果】
【０００６】
高温の加熱什器で保存しても、しっとりソフトな食感を長時間持続できるドーナツを得ることができる。
【発明を実施するための形態】
【０００７】
以下、本発明を詳細に説明する。
本発明のドーナツ生地は、従来公知のドーナツ生地であれば特に限定はなく、例えば、
穀粉、澱粉、砂糖、食塩、卵、イースト等の原料に加水して調製することができる。
成形方法や形状も従来公知のドーナツと同じで特に限定はない。
成形したドーナツ生地を湿り蒸気で加熱するが、生地に完全に火が通るようになるべく短い時間で行う。
例えば、４０ｇの生地であれば１００℃で１２分間程度である。
これより短い加熱時間では、生地に火が完全に通らず、加熱時間が長いと蒸し縮みが発生し見栄えが悪くなる。
加熱方法としては、蒸し器、せいろ等が使用できる。
【０００８】
次に湿り蒸気で加熱したドーナツ生地をバッターで被覆する。
バッターは、天ぷらに使用されている従来公知のバッターが使用できる。
例えば、使用できる原料としては、穀粉類及び/又は澱粉類、デキストリン、植物蛋白質、乳化剤、卵粉、増粘多糖類、膨張剤、食物繊維、油脂類、塩、糖類、調味料、香辛料、着色料、香料、ビタミン類、ミネラル類等が挙げられる。
バッターの加水は穀粉１００質量部に対して１００〜５００質量部であり、粘度は一般的な天ぷらバッター同程度でよい。
好ましいバッターは、小麦粉、澱粉又は米粉等の穀粉１００質量部に対して増粘多糖類を０．０５質量部以上５質量部含むバッターである。
粘度安定性が良く、製品の表面を均一に被覆することが出来る。
バッターの被覆方法は生地の表面にバッターが万遍なく被覆できれば特に限定はなく、噴霧、生地をバッター中に浸漬、はけで塗布等など公知の方法が使用できる。
【０００９】
バッターで被覆したドーナツ生地は、そのままフライすることができるが、冷凍後、フライすることもできる。
フライ方法は、従来公知のドーナツのフライ方法でよく、特に限定はない。
フライ時間は、生地に火が通っているので短めでも良い。
【実施例】
【００１０】
以下本発明を実施例により具体的に説明するが、本発明はこれらの実施例に限定されるものではない。
・実施例１
［蒸し生地の調製]
強力小麦粉１００質量部、上白糖３０質量部、食塩１質量部、全卵１０質量部、生イースト２．５質量部、水４７質量部を縦型ミキサーを使用して低速２分間、中速４分間ミキシングした後、ショートニング１０質料部を加えてさらに低速１分間、中速３分間、高速４分間ミキシングし、生地を調製した。
捏ね上げ生地温度は２６℃であった。
この生地を温度２７℃湿度８０％の醗酵室で１時間発酵させた後、４０ｇに分割しベンチタイムを５分間とった後、リング状に成形し、成形生地を得た。
この成形生地を温度４５℃湿度４５％のホイロ室に３０分入れた後、１００℃の蒸し器で１２分間、蒸した後、室温(２３〜２７℃)にて２０分放冷した。
［バッターの調製]
ボウルに入れたバッターミックス（バッターミックスの配合：薄力小麦粉６９質量部、米粉３０質量部、キサンタンガム０．５質量部、食塩０．５質量部）１００質量部に対し水を２５０質量部を加え、ホイッパーで１分間撹拌しバッターを調製した。
［ドーナツの調製]
前記蒸し生地を前記バッター中に沈め生地全体をバッターで被覆した。
被覆した生地を−５０℃の急速冷凍機内で３０分間冷凍した後、−２５℃の冷凍庫内で７日間保管した。
冷凍保管した前記生地を１８０℃の菜種油で２分３０秒フライしドーナツを得た。
・比較例１
実施例１において、成形生地を蒸さず、かつ、バッター付けをしない以外は実施例１と同様にしてドーナツを得た。
・比較例２
実施例１において、成形生地を蒸さない以外は実施例１と同様にしてドーナツを得た。
・比較例３
実施例１において、バッター付けをしない以外は実施例１と同様にしてドーナツを得た。
【００１１】
得られたドーナツを７５℃の加熱什器に入れて６時間保存した後、１０名のパネラーにより以下の評価基準により評価した。
結果を表１に示す。
・内相の食感
５点・・・十分にしっとりソフトで良い
４点・・・しっとりソフトでやや良い
３点・・・ややしっとりソフトで普通
２点・・・やや乾燥して、やや硬い食感でやや悪い
１点・・・乾燥して硬い食感で悪い
【表１】
2020043821.tif 000002
(57)【要約】      （修正有）【課題】沈降時間が長くなるように改良された疑似餌を提供する。【解決手段】尾・鰭を除くほかは外観が魚に似せて金属で形成された本体と、本体の頭側端部及び／又は尾側端部とに各々固定されて針又は糸をかけるための止め輪とを備えるものにおいて、本体の長寸方向中点よりも少なくとも尾側外周面に長寸方向に対して４０〜５０度方向の螺旋状の条溝が形成され、条溝の深さが本体外径の１／１５〜１／５で、条溝の一つのターンとその前後のターンとの間隔は条溝の幅よりも大きく、ターン間の表面は滑らかであることを特徴とする。【選択図】なし【特許請求の範囲】
【請求項１】
尾・鰭を除くほかは外観が魚に似せて金属で形成された本体と、本体の頭側端部及び／又は尾側端部とに各々固定されて針又は糸をかけるための止め輪とを備えるものにおいて、
前記本体の長寸方向中点よりも少なくとも尾側外周面に螺旋状の条溝が形成されていることを特徴とする疑似餌。
【請求項２】
前記止め輪は、前記本体に対して回転不能である、請求項１に記載の疑似餌。
【請求項３】
前記条溝の深さが本体外径の１／１５〜１／５で、条溝の一つのターンとその前後のターンとの間隔は条溝の幅よりも大きく、ターン間の表面は滑らかである、請求項１に記載の疑似餌。
【請求項４】
前記本体は、中実である、請求項１に記載の疑似餌。
【請求項５】
前記条溝の各ターンは、前記本体の長寸方向に対して４０〜５０度傾いている、請求項１に記載の疑似餌。
【請求項６】
前記本体の頭側端部に近い表面に魚の眼に似せた凹部が形成され、その凹部に蓄光シールが固着されている、請求項１に記載の疑似餌。
【発明の詳細な説明】
【技術分野】
【０００１】
この発明は、メタルジグと通称されている疑似餌に関する。
【背景技術】
【０００２】
この種の疑似餌は、一般に鉛などの重い金属からなり魚に似た外観を有する本体と、本体の頭側端部又は尾側端部に固定されて針や糸をかける止め輪とを備える（特許文献１、２）。そして、キャスティング後は、長寸方向をほぼ水平にして同方向前後に揺動しながら、その自重によって水中を沈降し、その間に魚が疑似餌にかかることにより、魚が釣られる。従って、その沈降時間が長いほど一回のキャスティングで魚に注目される時間も長くなるので望ましい。
【先行技術文献】
【特許文献】
【０００３】
【特許文献１】特開２０００−１９７４２９号公報
【特許文献２】特開２００３−２５０３９０号公報
【発明の概要】
【発明が解決しようとする課題】
【０００４】
しかし、従来の疑似餌は、沈降時間を長引かせることを目的としては久しく改良がなされていない。
それ故、この発明の課題は、沈降時間が長くなるように改良された疑似餌を提供することにある。
【課題を解決するための手段】
【０００５】
前記課題を解決するために、この発明の疑似餌は、
尾・鰭を除くほかは外観が魚に似せて金属で形成された本体と、本体の頭側端部及び／又は尾側端部とに各々固定されて針又は糸をかけるための止め輪とを備えるものにおいて、
前記本体の長寸方向中点よりも少なくとも尾側外周面に螺旋状の条溝が形成されていることを特徴とする。
この発明の疑似餌の作用は定かでないが、前記条溝が本体の揺動に対する抵抗になるとともに水流のガイドともなり、それらが疑似餌を浮かせる方向に働いて沈降速度を遅らせるものと考えられる。
【０００６】
前記止め輪は、前記本体に対して回転不能であるとよい。回転可能とすると本体が回転してしまって抵抗が小さくなるからである。
前記条溝の深さが本体外径の１／１５〜１／５で、条溝の一つのターンとその前後のターンとの間隔は条溝の幅よりも大きく、ターン間の表面は滑らかであるとよい。条溝が浅すぎると抵抗にもガイドにもならないし、深すぎると本体の強度が不十分となるからである。また、ターン間隔よりも条溝の幅が大きいと本体の強度が不十分となるし、ターン間の表面が尖っていると魚の形状から遠くなるし、取り扱いにくいからである。
前記本体は、中実であるとよい。内部に空間があると浮力が作用して沈降速度が遅くなりすぎるからである。前記条溝の各ターンは、前記本体の長寸方向に対して４０〜５０度傾いているのがよい。
【発明の効果】
【０００７】
以上のように、この発明の疑似餌によれば、従来とほぼ同様の外観で沈降時間を長く確保できるので、大きな釣果を得ることが出来る。
【図面の簡単な説明】
【０００８】
【図１】実施形態の疑似餌を示す斜視図である。
【図２】同じく正面図である。
【図３】同じく底面図である。
【発明を実施するための形態】
【０００９】
疑似餌１は、本体２と２つの止め輪３、３とを備える。本体２は、鉛からなり、尾・鰭を除くほかは外観が鰯などの小魚に似ており、頭部と尾部とはいずれも端に向かって滑らかに縮径しているとともに長寸方向尾側半分の外径が後端に向かうにつれて漸減している。本体２は、全長１０〜１２ｃｍ、胴外径７〜１２ｍｍの外寸を有する。本体２の頭側端部に近い上面には眼に似せて形成された平面視円形の浅い凹み４がある。凹み４には図略の蓄光シールが固着されている。
【００１０】
下面は頭側端部から長寸方向中点付近にかけて平坦に形成されており、商標を構成する文字など（本実施形態では筆記体の「Ｄｒｅａｍ」）が刻印されている。止め輪３、３は、金属製で、針又は糸をかけるためのもので、頭側端部すなわち先端と尾側端部すなわち後端とに各々固定されている。止め輪３、３は本体２内部で互いに連なっていてよい。
【００１１】
そして、本体２の長寸方向ほぼ中間点より尾側半分の外周面に螺旋状の条溝５が形成されている。条溝５は、幅２〜３ｍｍ、深さ１〜２ｍｍで、後端から長寸方向ほぼ中間点までに長寸方向に対して４５度をなして２ターン半形成され、ターン間の表面は滑らかである。
【００１２】
疑似餌１を製造するためには、先ず本体２と同形同大の中子を木で造り、中子の長寸方向両端に止め輪３、３と同形同大の輪を固定する。そして中子の周囲にシリコンを注入固化した後、中子を抜くことにより、型を得る。別途、１本の針金を折り曲げて両端に止め輪３、３を成形する。前記型内に止め輪３、３を置き、残部空間に溶解した鉛を鋳込む。鉛が固化し常温に達した段階で型を取り外すことにより、疑似餌１が完成する。
【００１３】
比較のために、疑似餌１とほぼ同形同大の市販の疑似餌を準備した。疑似餌１と市販疑似餌を同一条件で水中に入れたところ、疑似餌１のほうが長寸方向をほぼ水平に保った状態でゆっくりと揺動しながら沈降した。また、現実に、マダイ、青魚（サバなど）、根魚（カサゴ、メバルなど）、ハマチ、ブリ、サワラなどの釣果において疑似餌１のほうが優れていた。特に蓄光シールの作用によって餌の眼に興味をもつ魚がよく釣れた。
【００１４】
疑似餌１の寸法は、前記より大きくても小さくてもよく、例えばヒラマサなどのように大きい餌を好む魚を対象とする場合、本体２としては、全長１８〜２０ｃｍ、胴外径１０〜１５ｍｍ程度のものがよい。
【符号の説明】
【００１５】
１  疑似餌
２  本体
３  止め輪
４  凹み
５  条溝
【図１】
2020043849.tif 000002
【図２】
2020043849.tif 000003
【図３】
2020043849.tif 000004
(57)【要約】【課題】接着剤なくして、傘受けを設けたねじ山と持ち手に設けたねじ山に傘袋を挟み込むことで、傘袋付き持ち手の製造を容易にすること。【解決手段】持ち手２は、傘に傘袋１を取り付け可能であり、内面にねじ山が形成され円筒形の第１部材７と、外面にねじ山が形成された第２部材４と、を備え、第１部材７と第２部材４との間に、傘袋１の下端側を挟んだ状態で、第１部材７と第２部材４とを螺合させることで傘袋１を保持可能である。【選択図】  図１
2020043895.tif 000002
【特許請求の範囲】
【請求項１】
傘の持ち手であって、傘に傘袋を取り付け可能であり、内面にねじ山が形成され円筒形の第１部材と、外面にねじ山が形成された第２部材と、を備え、第１部材と第２部材との間に、傘袋の下端側を挟んだ状態で、第１部材と第２部材とを螺合させることで傘袋を保持可能なことを特徴とする傘の持ち手。
【請求項２】
第２部材は、上瑞側の内径が、下瑞側の内径より大きいことを特徴とする請求項１に記載の傘の持ち手。
【発明の詳細な説明】
【技術分野】
【０００１】
傘の持ち手に関する。
【背景技術】
【０００２】
従来、折りたたみ傘は、傘袋と別体であるが、この場合、傘袋と持ち手を接続する接着剤方法もあるが、傘や傘袋に接着剤が付き汚れ接着が難しい。持ち手に傘袋を取り付けたものを提案した(特許文献１)参照。
【先行技術文献】
【特許文献】
【０００３】
【特許文献１】特許第６１８２６９７号広報
【発明の概要】
【発明が解決しようとする課題】
【０００４】
本発明は、接着剤なくして、傘受けを設けたねじ山と持ち手に設けたねじ山に傘袋を挟み込むことで、傘袋付き持ち手の製造を容易にすることを目的とする。
【課題を解決するための手段】
【０００５】
傘の持ち手であって、傘に傘袋を取り付け可能であり、内面にねじ山が形成され円筒形の第１部材と、外面にねじ山が形成された第２部材と、を備え、第１部材と第２部材との間に、傘袋の下端側を挟んだ状態で、第１部材と第２部材とを螺合させることで傘袋を保持可能な持ち手。
【０００６】
第２部材は、上瑞側の内径が、下瑞側の内径より大きい請求項１に記載の持ち手。
【発明の効果】
【０００７】
本発明は、従来の折りたたみ傘の持ち手と異なり傘袋を挟み込む構造で傘受けと持ち手が２分割からなるもので、内面にねじ山を設けた第１部材と、外面にねじ山を設けた第２部材からなり、傘袋の下部を挟み込み螺合させ傘袋を保持可能な持ち手である。
これにより、接着剤なくして、傘受けを設けたねじ山と持ち手に設けたねじ山に傘袋を挟み込むことで、傘袋付き持ち手の製造が容易になる。
【図面の簡単な説明】
【０００８】
【図１】本発明の傘袋と持ち手の全体図である。
【図２】第２部材を示す図である。
【図３】第１部材を示す図である。
【発明を実施するための形態】
【０００９】
以下、本発明を実施するための最良の形態を説明する。
本実施形態の傘の持ち手２は、傘に傘袋１を取り付け可能であり、内面にねじ山が形成され円筒形の第１部材７と、外面にねじ山が形成された第２部材４と、を備え、第１部材７と第２部材４との間に、傘袋１の下端側を挟んだ状態で、第１部材７と第２部材４とを螺合させることで傘袋１を保持可能である。
【００１０】
第２部材４は、上瑞側の内径が、下瑞側の内径より大きい。
【００１１】
持ち手２は、傘袋下部３に内側に、第２部材４を入れ第２部材外面にねじ山６に巻き付けて、第１部材内面のねじ山８に挟み込み螺合することで、傘袋１が保持可能となる。
【符号の説明】
【００１２】
１  傘袋
２  持ち手。
３  傘袋下部
４  第２部材
５  傘受け
６  第２部材外面ねじ山
７  第１部材
８  第１部材内面ねじ山
【図１】
2020043895.tif 000003
【図２】
2020043895.tif 000004
【図３】
2020043895.tif 000005
(57)【要約】【課題】洗濯物を乾かす際や乾燥の終わった洗濯物に生じる生乾き臭を、既設の洗濯物乾燥設備に手軽に追加できる形で抑制する点である。【解決手段】本発明は、物干し竿などに吊るした複数の洗濯物に高圧な常温風を上部から吹き付ける。常温風を小さな空気吹き出し口から高圧力で送出すことで、周囲の空気も巻き込んで洗濯物全体に上から下への気流を当て続ける事ができる。常温風を用いることで、室内の空気と気圧差の無い空気が送り出せるため、温風を利用した場合のような上昇気流が生じることがなく、小型静音型の送風ファンを用いた場合も洗濯物下端まで効率良く風を当て続ける事ができる。継続して空気の流れを洗濯物に当て続ける事により、雑菌の繁殖を抑制し生乾き臭の発生を抑える。【選択図】図２
2020043939.tif 000002
【特許請求の範囲】
【請求項１】
ゴムベルトで物干し竿などの既設衣類乾燥設備に加工や工事などを施すことなく簡易に追加設置でき、小型送風ファンで発生させた常温風を満遍なく衣類の下端まで送り続ける事を可能とする洗濯物の生乾き臭発生抑制装置
【発明の詳細な説明】
【技術分野】
【０００１】
本発明は洗濯物  生乾き臭抑制装置に関する。
【背景技術】
【０００２】
従来の技術では、洗濯物の速乾を目的としているものが多く、何れも温風を洗濯物の上部から下向きに吹き付ける構造となっている。温風は室温より温度が高く密度が低いため、送風方向と相反する上昇気流となってしまい、小型で設置の容易な設備では洗濯物の下端まで温風を届けることが難しい。（例えば、特許文献１参照）
【０００３】
また、洗濯物の下端まで温風を届ける技術も見られるが、大型の温風送出機器を用いるなど簡易な設置を想定していないものである。（特許文献２参照）
【先行技術文献】
【特許文献】
【０００４】
【特許文献１】特開07-227496実登3151175
【特許文献２】実登3151175
【発明の概要】
【発明が解決しようとする課題】
【０００５】
洗濯物を乾かす際や乾燥の終わった洗濯物に生じる生乾き臭を、既設の洗濯物乾燥設備に手軽に追加できる形で防止させる点である。
【課題を解決するための手段】
【０００６】
本発明は、物干し竿などに吊るした複数の洗濯物に高圧な常温風を上部から吹き付ける。常温風を小さな空気吹き出し口から高圧力で送出すことで、周囲の空気も巻き込んで洗濯物全体に上から下への気流を当て続ける事ができる。常温風を用いることで、室内の空気と気圧差の無い空気が送り出せるため、温風を利用した場合のような上昇気流が生じることがなく、小型静音型の送風ファンを用いた場合も洗濯物下端まで効率良く風を当て続ける事ができる。継続して空気の流れを洗濯物に当て続ける事により、雑菌の繁殖を抑制し生乾き臭の発生を抑える。
【発明の効果】
【０００７】
本発明は、室内で洗濯物を乾燥する時や、乾燥後の洗濯物における生乾き臭の発生を抑制し、副次的に洗濯物の乾燥促進が得られるという利点がある。また、既設の洗濯物乾燥設備に簡単に追加設置することが可能であると共に、複数の衣類に対して上記効果をもたらすことが可能である
【図面の簡単な説明】
【０００８】
【図１】装置構成図
【図２】装置利用時効果説明図
【発明を実施するための形態】
【０００９】
図１は既設の洗濯物乾燥施設(物干し竿など）に設置した図である。当装置は主に[1]送風ファンと、[2]穴開き送風チューブ、[3]送風チューブ終端で構成されており、これらを[5]ゴムベルトを用いて既設の物干し設備に固定する。送風ファンは[6]ACアダプタからの給電で稼働する。[1]送風ファンから[2]穴開き送風チューブに送り出された空気は、[4]空気吹き出し口から下方向に放出される。
図２は洗濯物をかけた場合における当装置の稼働状況を示している。既設の物干し竿の機能を妨げることなく複数の洗濯物の下端まで送風することが可能となる
【符号の説明】
【００１０】
[ 1 ]  送風ファン
[ 2 ]  穴開き送風チューブ
[ 3 ]  空気吹き出し口
[ 4 ]  送風ファン
[ 5 ]  送風ファン
【図１】
2020043939.tif 000003
【図２】
2020043939.tif 000004
(57)【要約】      （修正有）【課題】照明装置に使用される、直管型電灯の着脱を容易にする。【解決手段】直管型電灯の口金１０２とソケット１０３に板１０５を挿入するか、直管型電灯の側面に取手１０６をつける。または直管型電灯の発光体１０１の側面の一部に凹部か平面部をつける。または直管型電灯の口金１０２とソケット１０３の間にスペーサを挿入し、隙間を作り、その隙間に板を挿入する。これによって直管型電灯の脱着を容易にする。【選択図】図１
2020043044.tif 000002
【特許請求の範囲】
【請求項１】
ＬＥＤや放電管などの発光体と、上記発光体に通電するための口金で構成され、
上記口金とソケットの間に板を挿入するか、上記発光体の側面に取手を有する
ことを特徴とする直管型電灯。
【請求項２】
ＬＥＤや放電管などの発光体と、上記発光体に通電するための口金で構成され、
上記発光体の側面に一つ以上の凹部または平面部を有する
ことを特徴とする直管型電灯。
【請求項３】
ＬＥＤや放電管などの発光体と、上記発光体に通電するための口金で構成され、上記口金とソケットの間にスペーサを設置し、
上記口金と上記ソケットの間に隙間を有する
ことを特徴とする直管型電灯。
【発明の詳細な説明】
【技術分野】
【０００１】  この発明は照明装置に使用される、直管型電灯に関するものである。
【背景技術】
【０００２】  従来、直管型電灯の構造は円柱である。しかし円柱であると手や器具でつかみにくく、強く握ると直管型電灯を破損する恐れがある。また、直管型電灯は通常高所にあるため、脱着をする作業に危険を伴う。直管型電灯の脱着を容易にする方法はこれまで多くの提案がされている。【０００３】  直管型電灯を脱着する際には、直管型電灯を支えつつ、口金をソケットから外さなければならない。そのためには直管型電灯をつかみ、つかんだ手の摩擦力で直管型電灯の長手方向に力を加えなければならない。つまり直管型電灯を支える力（Ｚ方向）、直管型電灯をつかむ力（Ｘ方向）、ソケットから口金を外す力（Ｙ方向）の三方向の力を同時に働かせなければならない。またつかむ力は直管型電灯が割れないように力を加減する必要がある。
これまで直管型電灯を容易に脱着しやすい方法について、本体と直管型電灯を連結する、連結機構が提案されている。（特許文献１）
【先行技術文献】
【特許文献】
【０００４】
【特許文献１】特開２０１５−１６２３８２
【発明の概要】
【発明が解決しようとする課題】
【０００５】  従来の直管型電灯は凹凸のない円柱の形状であるため、これを掴もうとすると滑りやすく、三方向に力を加えなければいけなかった。また脱着が容易な直管型電灯装置は、本体部が特殊な構造をしていた。
そのため、以下のような問題があった。
１．特許文献１では、照明装置の本体が特殊な構造をしているため、本体を交換しなければならなかった。
【課題を解決するための手段】
【０００６】  本発明は、上述の課題を解決するためになされたものであって、本発明の一の観点にかかる直管型電灯は、端部に板などを挿入するか、発光体の側面に取手をつける、ことを特徴とする。【０００７】  本発明の別の観点にかかる直管型電灯は、直管型電灯の側面に凹部か平面部を作る、ことを特徴とする。【０００８】  本発明の別の観点にかかる直管型電灯は、口金とソケットの間にスペーサを挿入し、隙間を作る、ことを特徴とする。
【発明の効果】
【０００９】  本発明によれば、直管型電灯を掴みやすくなり、ソケットから取り外すことを容易にする。直管型電灯を強くつかむ必要がなくなるため、直管型電灯を破損する危険性が軽減される。取手に紐や棒などを引っ掛けることで高所の直管型電灯を低い位置からでも外しやすくなる。従来の直管型電灯設備に設置できるため、コストが従来品と比べて大差ない。
【図面の簡単な説明】
【００１０】
【図１】  第１の実施形態にかかる側面模式図。
【図２】  第２の実施形態にかかる側面模式図。
【図３】  第３の実施形態にかかる側面模式図。
【発明を実施するための形態】
【００１１】  以下、本発明を実施するための形態について説明する。
直管型電灯はＬＥＤや放電管などの発光体と、発光体に電気を供給するための端子である口金を有している。
【００１２】  図１に第１の実施形態を示す。図１の例では、直管型電灯の端部に板などを挿入するか、直管型電灯の側面に取手をつけている。
図１に示すように、直管型電灯の発光体１０１と口金１０２は従来の直管型電灯と同様の形状をしている。またソケット１０３と装置本体１０４も従来の装置と同様である。口金１０２とソケット１０３の間に板１０５を挿入する。板１０５を掴むことで直管型電灯を掴みやすくなる。板１０５は容易に破損せず、厚み寸法が口金１０２とソケット１０３の間に挿入でき、口金１０２を短絡しなければ、寸法と材質は問わない。
または直管型電灯の発光体１０１の側面に取手１０６をつける。さらに板１０５か取手１０６に紐１０７をつけると、低所から取り外すことが容易になる。
このように第１の実施形態により、板１０５か取手１０６をつかめば容易に直管型電灯を外すことができる。
【００１３】  図２に第２の実施形態を示す。図２の例では、直管型電灯の側面に一つ以上の凹部または平面部をつける。
図２に示すように、直管型電灯の発光体１０１と口金１０２は従来の直管型電灯と同様の構造をしている。蛍光体１０１の側面に凹部２０１または平面部２０２を作り、指を引っ掛けやすくなり、直管型電灯を取り外しやすくなる。
このように、第２の実施形態によれば、凹部２０１または平面部２０２に指をかけることで、直管型電灯を容易に取り外すことができる。
【００１４】  図３に第３の実施形態を示す。図３の例では、直管型電灯の口金１０２とソケット１０３の間にスペーサ３０１をつけて隙間をつくっている。
図３に示すように、直管型電灯の口金１０２とソケット１０３の間にスペーサ３０１を挿入することで、隙間をつくる。この隙間に板３０２を挿入し、押す力３０３を加えると、テコの原理で作用点の力３０４がかかることで直管型電灯を容易に取り外すことができる。
このように、第３の実施形態によれば、スペーサ３０１によってできた隙間に板３０２を挿入し、テコの原理で容易に直管型電灯を取り外すことができる。
【符号の説明】
【００１５】１０１    発光体
１０２    口金
１０３    ソケット
１０４    装置本体
１０５    板
１０６    取手
１０７    紐
２０１    凹部
２０２    平面部
３０１    スペーサ
３０２    板
３０３    押す力
３０４    作用点の力
【図１】
2020043044.tif 000003
【図２】
2020043044.tif 000004
【図３】
2020043044.tif 000005
(57)【要約】【課題】  アルミニウム電池は、充電時、金属負極材に放電阻害物質デンドライト（金属樹）が成長し電池反応が全くあるいは効率よく進行せず、安定した起電力が得られない。この放電阻害物質デンドライト（金属樹）成長を抑える事が課題である。【解決手段】  アルミニウムにパンチング（穴）成形した金属を負極材とし、放電阻害物質デンドライト（金属樹）成長を抑え課題を解決する。【選択図】図２
2020043043.tif 000002
【特許請求の範囲】
【請求項１】
アルミニウム金属又は、アルミニウム合金にパンチング（穴）を成形したことを特徴するアルミニウム電池用の負極材。
【請求項２】
アルミニウム金属又は、アルミニウム合金にパンチング（穴）を成形する。パンチング（穴）の形状、穴径及び配列は、規定したものでないことを特徴とするアルミニウム電池用の負極材。
【発明の詳細な説明】
【技術分野】
【０００１】  本発明は、アルミニウム電池用の負極材、詳しくは充電時アルミニウム電池は負極材金属に放電阻害物質デンドライト（金属樹）成長を起こす。この成長を抑えるアルミニウム電池用の負極材に関する。
【背景技術】
【０００２】  背景技術には、電解質の開発（特許文献１）や、負極材の周りを伝導体で覆う（特許文献２）等の上記放電阻害物を回避する文献がある。
【先行技術文献】
【特許文献】
【０００３】
【特許文献１】特開２００２−１８４４７２号公報
【０００４】
【特許文献２】特開２００６−１４７４４２号公報
【発明の概要】
【発明が解決しようとする課題】
【０００５】  アルミニウム電池充電時、負極材金属に成長する放電阻害物質デンドライト（金属樹）を抑える負極材を提供することを課題とする。
【課題を解決するための手段】
【０００６】  本発明は、アルミニウムにパンチング（穴）成形した金属を、アルミニウム電池用の負極材として課題を解決する。
【発明の効果】
【０００７】  本発明のアルミニウム電池用の上記負極材は、図２の構成により、繰り返し充放電の実施を行い、結果電池反応面に放電阻害物質デンドライト（金属樹）成長が見られず、課題の放電阻害物質デンドライト（金属樹）の成長を抑える事が出来、電池反応が効率よく進行し安定した起電力を得る事が出来た。【０００８】  本発明のアルミニウム電池用の負極材は、アルミニウムにパンチング（穴）成形した簡単な構造であるため、アルミニウム電池を低コストで提供出来る。
【図面の簡単な説明】
【０００９】
【図１】  本発明に係る負極材の図面である。
【図２】  本発明に係る電池の側面図である。
【発明を実施するための形態】
【００１０】  図１ないし図２は、本発明に係る負極材の実施例を示す。図１においてアルミニウムにパンチング（穴）成形したアルミニウム金属負極材の実施形態。
【００１１】  図２においてアルミニウムにパンチング（穴）成形したアルミニウム金属負極材の電池実施形態。
【符号の説明】
【００１２】  １  負極材
２  電解質
３  正極材
【図１】
2020043043.tif 000003
【図２】
2020043043.tif 000004
(57)【要約】【課題】本発明は、三角コーン本体側面に孔を造り、手指及びフック等を用いて、運搬、設置、位置修正、収納が、優れた孔空き三角コーンを提供する。【解決手段】本発明は、表示に関するものである。三角コーン本体の側面上方に複数の孔（１）を同一円周上に設け手指及びフックが引っ掛かるようにする。三角コーン本体の孔（１）の淵（２）の断面が半円形状を呈し、外面部にあり、少し厚みがあり、全周にある。本発明は以上のような構成である。本発明を使用するときは、手指及びフック等を三角コーンの孔（１）に引っ掛けて持ち上げて運搬，設置、位置修正、収納を行う。【選択図】図１
2020051235.tif 000002
【特許請求の範囲】
【請求項１】
三角コーン本体側面上方に複数の孔を同一円周上に設けたことを特徴とする孔空き三角コーン。
【請求項２】
三角コーンの孔の淵の断面が半円形を呈し、少し厚みが、あり外面にあることを特徴とする孔空き三角コーン。
【請求項３】
三角コーンの孔に手指、フックが掛けられ設置位置修正が、し易い孔空き三角コーン。
【発明の詳細な説明】
【技術分野】
【０００１】  本発明は、三角コーンの設置、位置修正、収納性に優れた孔空き三角コーンに関するものである。
【背景技術】
【０００２】  従来、三角コーンは先端をつかみずらく設置、位置修正が難しかった。
又、設置、収納に時間が、かかった。
【先行技術文献】
【特許文献】
【０００３】
【特許文献１】特開  ２０１０−１８９９５３号公報
【特許文献２】
【発明の概要】
【発明が解決しようとする課題】
【０００４】  そのため、次のような問題点があった。
（イ）トラックから三角コーンをいちいち手で下ろしていた。
（ロ）三角コーンの設置位置修正が難しかった。
（ハ）設置、収納に時間が、かかった。
（ニ）三角コーンの先端が、掴みにくかった。
本発明は、これらの問題点を解決するためになされたものである。
【課題を解決するための手段】
【０００５】三角コーン側面上方よりに孔を穿ち手指及びフックが入るようにする。これにより三角コーンの設置、設置位置修正、運搬、収納が容易におこなえ時間短縮になる。フック付棒を用いれば、トラックよりの運搬、設置、収納が、容易にでき、トラック、倉庫への収納が楽、孔空き三角コーンは積み重ねすることができる為、場所をとらない。又、トラック荷台よりの設置可能なので長い距離の工事に設置する事ができる。以上を特徴とする孔空き三角コーンである。
【発明の効果】
【０００６】（イ）設置時間が短くなった。
（ロ）設置位置修正が容易になった。
（ハ）保管場所に収納し易い。
（ニ）設置が容易である。
（ホ）トラック荷台よりの設置可能なので長い距離の工事に使える。
【図面の簡単な説明】
【０００７】
【図１】  本発明の正面図である。
【図２】  本発明の側面図である。
【図３】  本発明の上面図である。
【図４】  本発明の積み重ね図ある。
【図５】  本発明の断面図である。
【図６】  本発明の使用図例
【発明を実施するための形態】
【０００８】以下、本発明の実施の形態を説明する。
本発明は表示に関する物である。三角形コーンポストの側面上方部に孔（１）を設け手指やフックが引っ掛かるようにする。三角コーンの孔（１）は側面上方部にあり、淵（２）が、外面にあり、少し厚みがあり角は丸めてある。本発明は以上のような構成である。
本発明を使用するときは、手指及びフックを孔（１）に引っ掛けて持ち上げ運搬、設置する。。
【符号の説明】
【０００９】  １  孔
２  淵
【図１】
2020051235.tif 000003
【図２】
2020051235.tif 000004
【図３】
2020051235.tif 000005
【図４】
2020051235.tif 000006
【図５】
2020051235.tif 000007
【図６】
2020051235.tif 000008
(57)【要約】【課題】狭小地での確実な組み立ておよび、安全な設置が可能で、容易に上り下りすることが可能な、サイズ及び高さを自在に変更することができる組立作業台の組立方法および作業台を提供する。【解決手段】中心柱１２から扇状に高さを違えた複数の固定板１１が連結された組立作業台であって、複数の固定板１１、固定板１１において立設される複数の側方柱１３および、組立作業台上面に設置された作業床１４を備える。【選択図】図１
2020051032.tif 000002
【特許請求の範囲】
【請求項１】
１本の支柱を中心として、扇状に高さを違えた複数の固定板を連結し組立することを特徴とする組立作業台の組立方法。
【請求項２】
１本の支柱から扇状に高さを違えた複数の固定板が連結された組立作業台であって、複数の固定板、固定板において立設される複数の側方柱および、組立作業台上面に設置された作業床を備えていることを特徴とする組立作業台。
【発明の詳細な説明】
【技術分野】
【０００１】
本発明は、狭小地あるいは高所で作業を行う場合に用いられる組立作業台の組立方法および組立作業台に関するものである。
【背景技術】
【０００２】
従来、吹き抜け窓を有する室内などの狭い場所において、高所作業を行う場合は、脚立を作業場所に持ち込み、支柱を開脚して長尺脚立を設置し、その上部に上って作業を行うか、あるいは、作業現場でパイプ、クランプ及び足場板等を用いて足場を組み立ててから、足場板の上部に上って高所作業を行うのが通常である。
【先行技術文献】
【特許文献】
【０００３】
【特許文献１】特開２０１２−１５４１１３号公報
【非特許文献】
【０００４】
【非特許文献１】株式会社ピカコーポレイション総合カタログ２０１８−２０１９ ３６ページ
【非特許文献２】株式会社ピカコーポレイション総合カタログ２０１８−２０１９ ８３ページ
【発明の概要】
【発明が解決しようとする課題】
【０００５】
非特許文献１のような脚立を使用した作業は、脚立を作業場所に持ち込む際や壁に立てかける際に、周囲の壁などに傷を付けるおそれがあること、作業場所の広さによっては脚立を完全に開脚できないことがあり、作業が不安定で危険となること、脚立を設置した位置と作業したい位置とが離れる場合があり不安定で危険となること、といった種々の問題点を有している。
【０００６】
非特許文献２のような高所作業台は、足場板、アルミ板など、使用する部材が大きく、組立てや解体に手間が掛かること、組立てや解体時に周囲を傷付けるおそれがあること、組立作業台に設置する足場板および支柱が重く1人で組み立てることは困難であること、といった種々の問題点を有している。
【０００７】
特許文献３のような従来例においては、高所作業台の設置には、作業位置に立設した取付対象物を備える必要があり、取付対象物が存在しない屋内における設置は難しい。
【０００８】
本発明は、上記課題に鑑みてなされ、狭小地に設置が可能で、1人で組み立て可能であり、安定して自立する組立作業台の組立方法および組立作業台を提供することにある。
【課題を解決するための手段】
【０００９】
上記課題を解決する組立作業台の組立方法は、１本の支柱を中心として、扇状に高さの違う複数の固定板および側方支柱を連結し、組み立てる方法である。
【００１０】
上記課題を解決する組立作業台は、１本の支柱から扇状に複数の固定板が連結された組立作業台であり、複数の固定板および、固定板において立設された複数の側方支柱および、組立作業台上面に設置された作業床を備えている。
【発明の効果】
【００１１】
本発明に係る組立作業台は、固定板、中心支柱、側方支柱、作業床から構成されるが、各部材は従来例の部材に比して軽量、小型であり、持ち運びが容易であって、1人でも組立が可能である。また、各部材が分解されているため、軽量、小型であることから、従来例に比較して、組立時や解体時に周囲を傷付けるおそれが少ない。
【００１２】
本発明に係る組立作業台は、固定板が複数の支柱を支えることにより支柱を安定自立させることができ、また、固定板のサイズが従来例の足場板に比して小さいので、組立作業台の設置に必要な床面積が少なくて済むこととなる。また、支柱の本数を増減させることで、様々なサイズに組み立てることができ、所望の作業位置に組立作業台を設置できる。
【００１３】
本発明に係る組立作業台は、それぞれ違う高さの複数の固定板を有しており、固定板は高所へ登るためのステップとして機能し、高所への上り下りを容易にする。
【００１４】
本発明に係る組立作業台は、固定板によりそれぞれの支柱が支えられており、支柱が安定して立設されるため、狭所であっても作業スペースが充分に確保できて、安定した状態で高所作業を行うことができる。適宜の方法により筋交いやアウトリガーを加えると、さらに安定した状態となる。
【図面の簡単な説明】
【００１５】
【図１】本発明に係る組立作業台の組立方法の説明図である。
【図２】本発明に係る組立作業台の立面図である。
【図３】本発明に係る組立作業台の平面図である。
【図４】本発明に係る組立作業台の立面図である。
【図５】本発明に係る組立作業台の展開例を示す立面図である。
【図６】本発明に係る組立作業台の展開例を示す立面図である。
【発明を実施するための形態】
【００１６】
本発明の実施形態において、図面を参照しながら説明する。まず、図１は、本発明に係る組立作業台の組立方法である。固定板１１は、中心支柱１２を中心として高さを違えて複数枚、側方支柱１３を立設させるように取り付けられる。
【００１７】
固定板１１は、三角形様の固定板であり、全て同じ大きさである。
【００１８】
中心支柱１２および側方支柱１３は、全て同じ大きさであり、自立するに足りる強度を有する素材であれば足りる。
【００１９】
作業床１４は、図２に示す様に、扇状に設置された複数の固定板の上面に設置される。作業床１４と固定板１１のサイズは共通しており、同様の三角形様の形状である。
【００２０】
図３に示すように、上面には、三角形様の作業床１４を並べ配置する。
【００２１】
図４に示すように、本発明に係る組立作業台には、複数の固定板１１を高さを違えて設置し、上面に作業床１４を配置する。
【００２２】
図５に示すように、固定板の枚数と側方柱の本数を変更することで、組立作業台のサイズおよび高さを変更することができ、設置場所に応じた組立作業台を組立することができる。必要に応じ、落下防止ロープ１５を取り付けることも可能である。
【符号の説明】
【００２３】
１１  固定板
１２  中心柱
１３  側方柱
１４  作業床
１５  落下防止ロープ
【図１】
2020051032.tif 000003
【図２】
2020051032.tif 000004
【図３】
2020051032.tif 000005
【図４】
2020051032.tif 000006
【図５】
2020051032.tif 000007
【図６】
2020051032.tif 000008
(57)【要約】【課題】口腔内が極度の乾燥した人には、口内を保湿する用具が必要だが、現在あるものは保湿効果がすくなく、より保湿効果の高い用具を開発する必要がある。【解決手段】そこで、従来、気管支などの保湿のために呼吸器につないで使われてきた呼気内湿気保持機能を持つフィルター、すなわち人工鼻フィルターを、開口部を設けたマスクに装着すれば、著明な保湿効果を得ることができる。【選択図】図４
2020051012.tif 000002
【特許請求の範囲】
【請求項１】
呼吸装置に接続しないマスクであって、人工鼻フィルターを収納するハウジングを装着するための開口部を持つマスク
【発明の詳細な説明】
【技術分野】
【０００１】  医療、保健分野
【背景技術】
【０００２】  脳卒中、肺炎、あるいは他の疾患で口腔内や気管支内が極度に乾燥する患者がいる。口腔内や気管支内が極度に乾燥すると、著しい口喝感、排痰困難、嚥下困難などが生じる。さらに、雑菌が増殖し、二次的な疾病を起こすことがある。
【発明の概要】
【発明が解決しようとする課題】
【０００３】  重度の患者の場合には、気管切開をおこない、呼吸器とつないで口腔内や気管支内に人工的に湿気を与える。しかし、呼吸器は使用しないが、口腔内が乾燥する患者の数はより多い。これらの患者には、口腔内を常に保湿する用具が必要となる。現在、保湿機能があるとされるマスク、疑似唾液成分の口腔内噴射装置、口腔内保湿剤など、さまざまなものが市販されている。【０００４】  しかし、それらのものは、実際には保湿効果が少ない、保湿効果が持続しない、あるいは頻回に使う必要があるなどの問題が依然として残っている。保湿効果がより強力で効果が持続し、簡単な操作で使用可能、しかも部品の取り換え作業などが煩雑でない用具の発明が必要である。
【課題を解決するための手段】
【０００５】  医療では人工鼻という名称の呼気内湿気保持機能を持つフィルターが使われている。これは、吸湿性を持つ帯状の多孔質体を渦巻き状に巻いたフィルターで、空気中の酸素は吸入しつつ、呼気中の水分は保持し、結果的に気管支内を加湿するものである。現在まで、この人工鼻フィルターは呼吸器と連結して使われてきた（例えば、特許文献１参照）。
【特許文献】
【０００６】
【特許文献１】特開２０１７−１７６３９７
【０００７】  この人工鼻フィルターを収納するハウジングを、軟質保形部材などで成形され、かつ呼吸器につなげることを想定していないマスクに装着すれば、呼吸器を装着していない患者の口腔内の加湿ができる。【０００８】  そこで、このマスクに開口部を設け、そこに人工鼻フィルターを収納するハウジングを装着できるようにすれば良い。【０００９】  円筒状のハウジングは断面が円状であり、この断面と同じ形の開口部をもつマスクと一体に形成し、ハウジングが着脱できるようにする。ハウジングは、楕円形や多角形の断面の形をしても良い。【００１０】  ハウジングの一方の断端面の周囲内側に、プラスチックなどでリングと突出する中空の挿入部を成形し、その挿入部でマスクに着脱するようにしてもよい。その挿入部の断面形状は円形、楕円形、多角形でも良い。挿入部をもつハウジングは、例えば二股に分かれ、それぞれの先端に人工鼻フィルターを持つ形などでも良い。【００１１】  ハウジング、またはハウジングの挿入部を開口部の周径よりも大きくし、そのハウジングや挿入部をマスクの開口部の周囲に貼着離着可能にしてもよい。人工鼻フィルターを空気透過性を持たせた軟質性の素材や布状の素材で覆い、それをマスクの開口部の上に貼着離着可能にしてもよい。マスクの形状は、口唇のみ、あるいは鼻の一部を覆う形状でもよい。ハウジングの挿入部用のマスク上の開口部は複数あってもよい。【００１２】  このマスクには従来の薄型軟質保形部材などでできたマスクと同様、二酸化炭素の放出を容易にする穴や、吸湿効果を調整する穴を数か所、設けてもよい。
【加湿性能評価試験】
【００１３】  このハウジングとマスク、および口腔内に設置した小型の温度計と湿度計で評価試験を行った（表１）。６日間６：００から０時００までこのマスクをつけた。そして、５月２８日間からの３日間、６：００から１１時頃までこのマスクに人工鼻フィルターを持つハウジングを装着した。ハウジングを装着した時間帯だけ、口内の湿度が約９５％に上昇したことが明らかである（表１の上段の横線）。
2020051012.tif 000003
【図面の簡単な説明】
【００１４】  以上の人工鼻フィルターを収納するハウジングとマスクの実施例を、添付の図面を参照しつつ説明する。図１は円筒形状でプラスチックなどで成形したハウジングの斜視図である。このなかに吸湿性で帯状の多孔質体を渦巻き状に巻いた人工鼻フィルターを収納する。ハウジングの両端にはフィルターの脱落防止のための留め具を数個設置する。フィルターは弾力性を持つため、ハウジングに収納するときはフィルターを圧縮して収納する。なお、収納する方法は留め具に限定されるものではなく、例えば、フィルターを収納後、留め具を熱溶着する方法や開口部を網状の蓋でかぶせる方法などでもよい。【００１５】  図２は、ハウジングの一方の断端面の周囲内側にリングと挿入部を成形したハウジングの斜視図。【００１６】  図３はハウジングまたは、挿入部を着脱するための開口部と、二酸化炭素などの放出用の穴を持つマスクの斜視図。【００１７】  図４はハウジングを装着したマスク斜視図
【発明の効果】
【００１９】  これらのマスクによって、００１３の表１の評価試験のように口腔内の保湿が著明に効果的なものとなる。
【産業への応用】
【００２０】  このマスクは、花粉症などの患者の睡眠時などにも使える。
【符号の説明】
【００２１】１  ハウジング
２  フィルター
３  留め具
４  リング
５  挿入部
６  マスク
７  開口部
８  穴
【図１】
2020051012.tif 000004
【図２】
2020051012.tif 000005
【図３】
2020051012.tif 000006
【図４】
2020051012.tif 000007